(57)【要約】【課題】化粧品容器に対してキャップを着脱する場合、毛束が支持管の内部において自動的に出入りされて粘度が高い化粧液の内部において毛束がねじれによって撚られるなどの不都合を防ぎ、しかも、使い勝手をよくすることのできる化粧用ブラシを提供する。【解決手段】ブラシ棒１１の上部には、支持管１４の上部に形成されたガイド孔１４ａから突出するように係止突起１２が設けられ、化粧品容器２０の挿入口の上部には、ブラシ棒１１が挿入される出入孔２１ａが形成された内蓋２１が設けられ、キャップ１０を化粧品容器２０に螺合させるときに、支持管１４のガイド孔１４ａから突出した係止突起１２が内蓋２１に係止されることにより、ブラシ棒１１と毛束１１ａが上昇されて支持管１４の内部に収容される化粧用ブラシ１が提供される。【選択図】図２
2007209743.tif 000002
【特許請求の範囲】
【請求項１】
キャップと；
前記キャップの内部中央に垂直に設けられるブラシ棒と；
前記ブラシ棒の下端に固定される毛束と；
を備え、
前記ブラシ棒を化粧品容器の挿入口から挿入させて、前記キャップを前記化粧品容器に螺合させる化粧用ブラシであって、
前記ブラシ棒は、前記キャップの内部中央に垂直に設けられる支持管に挿入されて、前記支持管の上部に設けられた弾性部材により弾持され、
前記ブラシ棒の上部には、前記支持管の上部に形成されたガイド孔から突出するように係止突起が設けられ、
前記化粧品容器の前記挿入口の上部には、前記ブラシ棒が挿入される出入孔が形成された内蓋が設けられ、
前記キャップを前記化粧品容器に螺合させるときに、前記支持管の前記ガイド孔から突出した前記係止突起が前記内蓋に係止されることにより、前記ブラシ棒と前記毛束が上昇されて前記支持管の内部に収容されることを特徴とする、化粧用ブラシ。
【請求項２】
前記係止突起は、前記ブラシ棒の上部に形成される弾性片に突設されることを特徴とする、請求項１に記載の化粧用ブラシ。
【請求項３】
前記係止突起には、傾斜面が形成されることを特徴とする、請求項２に記載の化粧用ブラシ。
【請求項４】
前記支持管の上部の周縁には、弾性を備えるリング状のパッキンが設けられ、
前記内蓋の前記出入孔を介して前記支持管を挿入する場合、前記パッキンが前記出入孔の下部に密着されることを特徴とする、請求項１〜３のいずれかに記載の化粧用ブラシ。
【発明の詳細な説明】
【技術分野】
【０００１】
本発明は、化粧品容器に結合されるキャップにブラシ棒が垂直に立設される化粧用ブラシに関する。
【背景技術】
【０００２】
通常、リップグロス、マスカラ、アイライナー、マニキュアなどの液状の化粧品をブラシで塗って化粧する場合には、主として毛束が植え付けられたブラシ棒の上部キャップを化粧品容器に螺合して、ブラシ棒と毛束が化粧品容器の内部に挿入される。ブラシ棒および毛束は、上部キャップを化粧品容器に螺合することにより、化粧品容器内に保管され、その保管された状態で簡単に携帯できるようになっており、必要に応じて上部キャップを外すと、化粧液が塗られた毛束で化粧をすることが可能である。
【発明の開示】
【発明が解決しようとする課題】
【０００３】
しかし、従来の化粧用ブラシには、キャップを化粧品容器に螺合した時、毛束が粘度の高い化粧液の内部において回されながら、化粧液の抵抗によって毛束がねじれながら撚れるなどの不都合が生じていた。このため、撚れた毛束は、化粧液を必要な個所に正確に塗ることを困難にしたため、きめ細かい化粧が不可能になるだけではなく、結果として、化粧液を使用しきれずに捨てることの主原因となっていた。特に、現在では、粘度が極めて高い種々の化粧液が開発される傾向にある。よって、粘度の高い化粧液を使用すればするほど、化粧液に含まれる溶剤が揮発されて粘度がさらに高くなるに伴い毛束の撚りが多くなるため、毛束の撚りを極力抑えることのできる化粧用ブラシの提案が切望されている。また、化粧品容器の入り口には内蓋が結合されており、内蓋には下方へ進むにつれて狭幅となる斜めの出入孔が形成されて、ブラシ棒が出入りすると、ブラシ棒に塗られた化粧液が内蓋の出入孔を通過しながら拭き取られるようになっている。このため、ブラシ棒が出入孔に接触しながら出入りされるため、ブラシ棒を内蓋の出入孔に嵌め込むと、ピストンが筒状体の内部に入り込む場合と同様に、化粧品容器の内部には圧縮空気が発生する。このような圧縮空気は、化粧液を化粧品容器の上部に押し上げるポンピング現象を引き起こすため、化粧液が内蓋の出入孔とブラシ棒との間を介してキャップの内部に流れ込んで、キャップが化粧液によって汚れるなどの不都合が生じていた。
【０００４】
そこで、本発明は、このような問題に鑑みてなされたもので、その目的とするところは、化粧品容器にキャップを取り付ける、および化粧品容器からキャップを取り外す場合、毛束が支持管の内部において自動的に出入りされることにより、高い粘度の化粧液内部において毛束がねじれて撚れるなどの不都合を防ぎ、しかも、使い勝手を向上できる化粧用ブラシを提供することにある。
【課題を解決するための手段】
【０００５】
上記課題を解決するために、本発明の第１の観点によれば、キャップと；キャップの内部中央に垂直に設けられるブラシ棒と；ブラシ棒の下端に固定される毛束とを備え、ブラシ棒を化粧品容器の挿入口から挿入させて、キャップを化粧品容器に螺合させる化粧用ブラシであって、ブラシ棒は、キャップの内部中央に垂直に設けられる支持管に挿入されて、支持管の上部に設けられる弾性部材により弾持され、ブラシ棒の上部には、支持管の上部に形成されたガイド孔から突出するように係止突起が設けられ、化粧品容器の挿入口の上部には、ブラシ棒が挿入される出入孔が形成された内蓋が設けられ、キャップを化粧品容器に螺合させるときに、支持管のガイド孔から突出した係止突起が内蓋に係止されることにより、ブラシ棒と毛束が上昇されて支持管の内部に収容される化粧用ブラシが提供される。
【０００６】
本発明によれば、化粧用ブラシは、キャップと、キャップの内部中央に垂直に設けられ、上部に係止突起を備え、下端に毛束を備えるブラシ棒と、ブラシ棒を挿入し、上部にガイド孔を備える支持管とから構成される。ブラシ棒が支持管に挿入される際、係止突起は、ガイド孔を介して突出されるので、キャップが化粧品容器に装着される場合、係止突起は、化粧品容器の挿入口に設けられる内蓋に係止され、支持管は、化粧品容器内部へ下降する。この時、毛束は支持管内部に収納される。そして、キャップが化粧品容器から離脱される場合、係止突起が内蓋から離脱し、ブラシ棒が支持管の上部に設けられる弾性部材（バネ）の復元力によって、化粧品容器内部に下降するので、毛束が化粧液に短時間露出される。従って、キャップを回転させて化粧品容器に螺合するか、あるいは、化粧品容器から外す時、毛束が支持管の内部に対して自動的に出入されて粘度の高い化粧液の内部において毛束が回されたり、ねじれによって広がったり反ったりするなどの不都合を防止できる。
【０００７】
係止突起は、ブラシ棒の上部に形成される弾性片に突設されてよい。
【０００８】
係止突起には、傾斜面が形成されてよい。
【０００９】
支持管の上部の周縁には、弾性を備えるリング状のパッキンが設けられ、内蓋の出入孔を介して支持管を挿入する場合、パッキンが出入孔の下部に密着されてよい。これにより、化粧品容器の内部圧縮空気の排出を遮断することができる。
【発明の効果】
【００１０】
以上説明したように本発明によれば、キャップを化粧品容器に対して着脱する場合にキャップを回転させる時、毛束の大部分が支持管に収納されている状態でキャップを回すため、極めて短時間、かつ毛束の一部（短い長さ部分）が化粧液に浸漬されることにより、毛束自体が化粧液の抵抗をほとんど受けなくなる。よって、毛束のねじれおよび撚りが効果的に防止でき、化粧液を正確に塗ることができるため、化粧用ブラシの製品競争力を最大限に高めることができる。これにより、本発明の化粧用ブラシは、毛束のねじれおよび撚りを画期的に改善でき、化粧液を使用し切れるまで毛束のねじれおよび撚りを防止できるため、消費者に高品質の化粧用ブラシを提供することができるなどの利点がある。
【発明を実施するための最良の形態】
【００１１】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１２】
（第１実施形態）
図１は、本発明の第１実施形態に係る化粧用ブラシが化粧品容器に結合されている状態を示す斜視図である。図２は、本発明の第１実施形態に係る化粧用ブラシおよび化粧品容器の分解斜視図である。図１および図２に示すように、本発明の第１実施形態に係る化粧用ブラシ１は、略円筒状のキャップ１０と、下端に毛束１１ａが固定されたブラシ棒１１により構成される。
【００１３】
すなわち、略円筒状のキャップ１０の内部中央には、ブラシ棒１１が垂直に設けられ、ブラシ棒１１の下端には毛束１１ａが固定される。
【００１４】
キャップ１０の内周面に形成される係合部１０ａを、化粧品容器２０の挿入口の外周面に形成される被係合部２０ａに螺合する場合、ブラシ棒１１は、化粧品容器２０の挿入口に設けられる内蓋２１の出入孔２１ａを介して、化粧品容器２０内部に挿入される。ここで、出入孔２１ａは、内蓋２１に形成される狭幅の孔である。図２では、狭幅の出入孔２１ａの断面形状は、下方（図２の紙面において、下方向）に向かって幅が小さくなる略テーパ形状で形成されるが、出入孔２１ａの断面形状には、下方に向かって幅が小さくなる多様な形状が適用される。
【００１５】
このため、化粧用ブラシ１のキャップ１０が化粧品容器２０に螺合されて、ブラシ棒１１と毛束１１ａが化粧品容器２０の内部に保管される状態で、簡単に携帯できるように、化粧用ブラシ１および化粧品容器２０が構成される。
【００１６】
本発明の実施形態の構成において最も重要な特徴は、キャップ１０を回転させて化粧品容器２０に着脱する場合、毛束１１ａが支持管１４の内部において自動的に出入りされて毛束１１ａの撚りを効率良く防止できる点にある。
【００１７】
すなわち、キャップ１０の内部中央には、支持管１４が垂直に装着されており、支持管１４にはブラシ棒１１が挿入される。
【００１８】
ブラシ棒１１は、支持管１４の上部に設けられる略コイル状の弾性部材（バネ）１５によって弾持されて、例えば下方（図２の紙面において、下方向）に下降しようとする弾性力を伝達される。弾性部材１５は、圧縮バネであってよい。
【００１９】
ブラシ棒１１の上部の両側には、係止突起１２が突設される。しかしながら、係止突起１２は、ブラシ棒１１の上部の一側に突出されてもかまわない。ここで、図２の係止突起１２は、略曲線形状で形成されるが、係止突起１２は、以下で説明するガイド孔１４ａを介して突出するように形成されるのであれば、図２の形状に限定されない。係止突起１２は、傾斜面１２ａを備える。
【００２０】
支持管１４の上部には、下方（図２の紙面において、下方向）に長く形成されるガイド孔１４ａが形成される。ガイド孔１４ａには、ブラシ棒１１の上部の係止突起１２が挿入されてガイド孔１４ａの長さ以内で係止突起１２と共にブラシ棒１１が移動できる。支持管１４にブラシ棒１１を挿入する際、係止突起１２の傾斜面１２ａによって、ブラシ棒１１の係止突起１２を支持管１４のガイド孔１４ａに簡単に装着できる。
【００２１】
図３Ａ〜図３Ｃは、本発明の第１実施形態に係る化粧用ブラシが化粧品容器に結合される状態を順次に示す断面図である。図３Ａは、弾性部材１５の弾性力によってブラシ棒１１と共に係止突起１２が下降してガイド孔１４ａの下部に係止された状態であり、ブラシ棒１１の下部の毛束１１ａは、支持管１４の下部に突出されるので、毛束１１ａを用いて化粧をすることができる状態である。図３Ａに示すように、キャップ１０は、化粧品容器２０から取り外されている。
【００２２】
上記の状態（図３Ａの状態）で、キャップ１０を化粧品容器２０の被係合部２０ａに螺合することにより、支持管１４が化粧品容器２０の内蓋２１に形成される出入孔２１ａを介して化粧品容器２０内部に挿入される場合、図３Ｂに示すように、下降する支持管１４の外部に突出されているブラシ棒１１の係止突起１２が内蓋２１に係止されながら、支持管１４のみ下降される。よって、相対的にブラシ棒１１は、係止突起１２と共に内蓋２１に係止されて上昇するため、下部の毛束１１ａが支持管１４の内部に一部入り込んで収納される。
【００２３】
この時には、単に支持管１４を内蓋２１の出入孔２１ａに挿入した後に下降させてブラシ棒１１の回転が全くなされていない状態であるため、毛束１１ａのねじれや撚りが全く発生されていない状態である。
【００２４】
この状態で、キャップ１０を（例えば、時計回りに）回転させて化粧品容器２０の被係合部２０ａに螺合する場合、図３Ｃに示すように、支持管１４が回転されながら下降すると共に、ブラシ棒１１は、係止突起１２を内蓋２１に係止することで、係止突起１２と共に止まった状態であるため、毛束１１ａが支持管１４の内部に完全に収納される。
【００２５】
このため、支持管１４と共にブラシ棒１１が回転される場合、毛束１１ａが支持管１４の内部に完全に収納されるため、毛束１１ａはごく短時間だけ、かつ毛束１１ａの短い長さ分だけ、化粧液と接触されて高い粘度の化粧液による抵抗をほとんど受けなくなることにより、毛束１１ａの撚りおよびねじれを効率良く防止できる。従って、本発明の実施形態の化粧用ブラシ１を用いると、化粧液を正確に塗ることができる。そして、本発明の実施形態には、化粧用ブラシ１の製品競争力を最大限に高めることができるなどの利点がある。
【００２６】
そして、キャップ１０を逆向き（例えば、逆時計回り）に回転すると、毛束１１ａが支持管１４に収納されている状態で一緒に回転されるため、化粧液の抵抗をほとんど受けない状態で回転され、キャップ１０が化粧品容器２０の挿入口から離脱されると、係止突起１２が内蓋２１の周縁部から離脱されて係止状態が解除されると共に、弾性部材１５の復元力によりブラシ棒１１が下降しながら、毛束１１ａが支持管１４の下部に突出されて化粧用ブラシ１を使用することができる。よって、キャップ１０を回転させて取り外すときにも、毛束１１ａが極めて短時間で化粧液に接触するので、化粧液からほとんど抵抗を受けなくなる。
【００２７】
（第２実施形態）
図４は、本発明の第２実施形態に係る化粧用ブラシを示す分解斜視図である。図５は、図４の化粧用ブラシを化粧品容器に装着した時の結合断面図である。本発明の第２実施形態は、上記第１実施形態と同じ構成要素を備えており、以下では同じ構成要素に対する説明を省略する。一方、図４および図５に示すように、係止突起１２は、ブラシ棒１１の上部に形成される弾性片１３に突設され、係止突起１２には傾斜面１２ａが形成される。
【００２８】
本発明の第２実施形態では、支持管１４の内部に弾性部材１５を挿入した後、ブラシ棒１１の上部に設けられる弾性片１３を支持管１４の内部に挿入すると、係止突起１２の傾斜面１２ａが弾性片１３と共に押されながら、支持管１４の内部に入り込む。そして、係止突起１２がガイド孔１４ａに位置すると、弾性片１３の弾発力によって外側に拡開されながら、ガイド孔１４ａに挿入され、係止突起１２がガイド孔１４ａに挿入された後、係止突起１２がガイド孔１４ａの外部に突出されて係止されるため、ブラシ棒１１を支持管１４に簡単に組み付けることができる。また、支持管１４にブラシ棒１１を挿入する際、係止突起１２の傾斜面１２ａによって、ブラシ棒１１の係止突起１２を支持管１４のガイド孔１４ａに簡単に装着できる。
【００２９】
（第３実施形態）
図６は、本発明の第３実施形態に係る化粧用ブラシを示す部分分解斜視図である。図７は、図６の化粧用ブラシを化粧品容器に装着した時の結合断面図である。本発明の第３実施形態は、上記第１実施形態と同じ構成要素を備えており、以下では同じ構成要素に対する説明を省略する。また、図６および図７に示すように、支持管１４の上部の周縁には、弾性を備える略リング状のパッキン３０が設けられ、内蓋２１の出入孔２１ａを介して支持管１４を挿入する場合、パッキン３０が出入孔２１ａの下部に密着されて化粧品容器２０の内部圧縮空気の排出を遮断することができる。パッキン３０は、支持管１４のガイド孔１４ａの下に設けられるのが望ましい。
【００３０】
本発明の第３実施形態では、内蓋２１を介して支持管１４を挿入して化粧品容器２０の内部に圧縮空気ができたとしても、支持管１４の上部に固定される略リング状のパッキン３０が内蓋２１の内部に密着されて圧縮空気の排出を遮断できるため、化粧液が圧縮空気と共に化粧品容器２０の上部に逆流するようなポンピング現象を効率良く防ぐことができる。よって、本発明の第３実施形態の化粧用ブラシ１の製品競争力を最大限に高めることができる。
【００３１】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【図面の簡単な説明】
【００３２】
【図１】本発明の第１実施形態に係る化粧用ブラシが化粧品容器に結合されている状態を示す斜視図である。
【図２】本発明の第１実施形態に係る化粧用ブラシおよび化粧品容器の分解斜視図である。
【図３Ａ】本発明の第１実施形態に係る化粧用ブラシが化粧品容器に結合される状態を順次に示す断面図である。
【図３Ｂ】本発明の第１実施形態に係る化粧用ブラシが化粧品容器に結合される状態を順次に示す断面図である。
【図３Ｃ】本発明の第１実施形態に係る化粧用ブラシが化粧品容器に結合される状態を順次に示す断面図である。
【図４】本発明の第２実施形態に係る化粧用ブラシを示す分解斜視図である。
【図５】図４の化粧用ブラシを化粧品容器に装着した時の結合断面図である。
【図６】本発明の第３実施形態に係る化粧用ブラシを示す部分分解斜視図である。
【図７】図６の化粧用ブラシを化粧品容器に装着した時の結合断面図である。
【符号の説明】
【００３３】
１        化粧用ブラシ
１０        キャップ
１０ａ      係合部
２０ａ      被係合部
１１      ブラシ棒
１１ａ      毛束
１２      係止突起
１２ａ      傾斜面
１３      弾性片
１４      支持管
１４ａ      ガイド孔
１５      弾性部材
２０      化粧品容器
２１      内蓋
２１ａ      出入孔
３０      パッキン
【図１】
2007209743.tif 000003
【図２】
2007209743.tif 000004
【図３Ａ】
2007209743.tif 000005
【図３Ｂ】
2007209743.tif 000006
【図３Ｃ】
2007209743.tif 000007
【図４】
2007209743.tif 000008
【図５】
2007209743.tif 000009
【図６】
2007209743.tif 000010
【図７】
2007209743.tif 000011